(57)【要約】【課題】美観の向上効果を有する電力供給装置を提供する。【解決手段】ベース１２がネジ式口金１１に接続されており、内部に電源変換回路１３が設置されており、ベース１２に電源接続端１４が設けられており、ネジ式口金１１および電源接続端１４と電源変換回路１３とが電気的に接続されている電源変換器１０と、ベース１２に連結されている位置決めフレーム２０とを備える。これにより、電力供給装置を提供し、装設が便利になり且つ美観も向上する効果を有する。【選択図】図１
0003200810.tif 000002
【実用新案登録請求の範囲】
【請求項１】
ベースがネジ式口金に接続されており、内部に電源変換回路が設置されており、前記ベースに電源接続端が設けられており、前記ネジ式口金および前記電源接続端と前記電源変換回路とが電気的に接続されている電源変換器と、
前記ベースに連結されている位置決めフレームと、を備えることを特徴とする電力供給装置。
【請求項２】
前記ベースに前記位置決めフレーム結合部が設けられており、前記位置決めフレームに前記位置決めフレーム結合部に対するベース接続部が設けられており、前記位置決めフレーム結合部及び前記ベース接続部により前記位置決めフレームが前記ベースに連結されていることを特徴とする、請求項１に記載の電力供給装置。
【請求項３】
前記位置決めフレームは前記ベースに固設されている固定式位置決めフレームであることを特徴とする、請求項１に記載の電力供給装置。
【請求項４】
前記位置決めフレーム結合部及び前記ベース接続部は、対応し合うねじ穴及びスタッドであることを特徴とする、請求項２に記載の電力供給装置。
【請求項５】
前記ネジ式口金はＥ２７、Ｅ１２、Ｅ５、Ｅ１０、Ｅ１４或いはＥ４０の規格化されたネジ式口金であり、
前記電源接続端はＵＳＢ電源接続端であることを特徴とする、請求項１〜４の何れか１項に記載の電力供給装置。
【請求項６】
ベースがネジ式口金に接続されており、内部に電源変換回路が設置されており、前記ベースに固定式電源コードが設置されており、前記ネジ式口金および前記固定式電源コードと前記電源変換回路とが電気的に接続さされている電源変換器と、
前記ベースに連結されている位置決めフレームと、を備えることを特徴とする電力供給装置。
【請求項７】
前記ベースに前記位置決めフレーム結合部が設けられており、前記位置決めフレームに前記位置決めフレーム結合部に対するベース接続部が設けられており、前記位置決めフレーム結合部及び前記ベース接続部により前記位置決めフレームが前記ベースに連結されていることを特徴とする、請求項６に記載の電力供給装置。
【請求項８】
前記位置決めフレームは前記ベースに固設される固定式位置決めフレームであることを特徴とする、請求項６に記載の電力供給装置。
【請求項９】
前記位置決めフレーム結合部及び前記ベース接続部は、対応し合うねじ穴及びスタッドであることを特徴とする、請求項７に記載の電力供給装置。
【考案の詳細な説明】
【技術分野】
【０００１】
本考案は、ネジ式口金を有する電力供給装置に関し、電源変換器の口金がネジ式口金であり、位置決めフレームを有する構成に関する。
【背景技術】
【０００２】
ビデオモニター、ルーター（ＲＯＵＴＥＲ）、ハブ等のネットワーク設備は通常高い場所に装設される。
【考案の概要】
【考案が解決しようとする課題】
【０００３】
しかしながら、高い場所には一般的にはコンセントが設置されておらず、これら設備の装設には電源コードを延設させ、変圧器を組み合わせて直流電源を提供せねばならない。このため、多くは電源コードを増設させて変圧器を組み合わせて直流電源を提供する従来の電源供給方式を採用しており、装設が不便（穿孔が必要な場合がある）であるほか、外に露出される電源コードが美観を損ねた。
【０００４】
そこで、本考案者は上記の欠点が改善可能と考え、鋭意検討を重ねた結果、合理的構成で上記の課題を効果的に改善する本考案の提案に到った。
【０００５】
本考案は、このような従来の問題に鑑みてなされたものであり、電力供給装置を提供することを主目的とする。
【０００６】
本考案の他の目的は、美観の向上効果を有する電力供給装置を提供することである。
【課題を解決するための手段】
【０００７】
上述した課題を解決し、上記目的を達成するための本考案は、本考案に係る電力供給装置は、ベースがネジ式口金に接続され、内部には電源変換回路が設置され、且つベースには電源接続端が設けられると共に、ネジ式口金および電源接続端と電源変換回路とが電気的に接続されている電源変換器と、ベースに連結される位置決めフレームとを備えることを特徴とする。
【０００８】
このほか、ベースには位置決めフレーム結合部が設けられ、位置決めフレームには位置決めフレーム結合部に対するベース接続部が設けられ、位置決めフレーム結合部及びベース接続部により位置決めフレームがベースに連結される。位置決めフレーム結合部及びベース接続部は対応し合うねじ穴及びスタッドである。位置決めフレームはベースに固設されている固定式位置決めフレームである。しかしながら、ネジ式口金はＥ２７、Ｅ１２、Ｅ５、Ｅ１０、Ｅ１４或いはＥ４０等の規格化されたネジ式口金式であり、電源接続端はＵＳＢ電源接続端である。
【０００９】
本考案によれば、装設が便利になる効果のほか、美観の向上効果も有する。
【図面の簡単な説明】
【００１０】
【図１】本考案の第１実施形態に係る電力供給装置を示す模式図である。
【図２】本考案の第２実施形態に係る電力供給装置を示す模式図である。
【図３】本考案の第３実施形態に係る電力供給装置を示す模式図である。
【考案を実施するための形態】
【００１１】
本考案における実施形態について、添付図面を参照して説明する。尚、以下に説明する実施形態は、実用新案登録請求の範囲に記載された本考案の内容を限定するものではない。また、以下に説明される構成の全てが、本考案の必須要件であるとは限らない。
【００１２】
（第１実施形態）
図１に示すように、本考案に係る第１実施形態によると、ベース１２がネジ式口金１１に接続され、内部には電源変換回路１３が設置され、ネジ式口金１１はＥ２７、Ｅ１２、Ｅ５、Ｅ１０、Ｅ１４或いはＥ４０等の規格化されたネジ式口金式であり、且つベース１２にはＵＳＢ電源接続端１４及び位置決めフレーム結合部１５が設けられると共にネジ式口金１１およびＵＳＢ電源接続端１４と電源変換回路１３とが電気的に接続されている電源変換器１０と、位置決めフレーム結合部１５に対するベース接続部２１が設けられ、位置決めフレーム結合部１５及びベース接続部２１によりベース１２に連結され、位置決めフレーム結合部１５及びベース接続部２１は対応し合うねじ穴及びスタッドである位置決めフレーム２０と、を備える。但しこの限りではなく、嵌合、係合等の構成でも実施可能である。
【００１３】
（第２実施形態）
また、本考案の第２実施形態と第１実施形態との差異は、第１実施形態による位置決めフレーム２０は着脱式位置決めフレームであり、第２実施形態による位置決めフレーム２０ａはベース１２に固設される固定式位置決めフレームである点である（図２参照）。
【００１４】
（第３実施形態）
さらに、本考案の第３実施形態と第１実施形態との差異は、第３実施形態による電源変換器１０ａのベース１２ａには固定式電源コード１６が設置されて第１実施形態のＵＳＢ電源接続端１４を代替させる点である。また、上述の実施形態に係る位置決めフレームは例示に過ぎず、形状は設置の仕方によって変更可能であり（図３参照）、詳述は省く。
【００１５】
このような構造により、図を参照すると、本考案に係る電源変換器１０のネジ式口金１１は全世界共通の規格で構成されるネジ式口金式であり、また、電力供給対象装置（例えば、前述のビデオモニター或いはネットワーク設備）を設置させる位置決めフレーム２０或いは２０ａにより、電源変換器１０のネジ式口金１１が対応される規格の螺旋状ソケットに螺合され、位置決めフレーム２０或いは２０ａが電力供給対象装置３０に定位されるのみで、固定式電源コード１６が電力供給対象装置３０に接続され、或いはＵＳＢ電源接続端１４と電力供給対象装置３０との間に電力供給対象装置３０のＵＳＢ電源コード３１が接続され、電力供給対象装置３０が定位された状態で電源を取得できる。これにより、本考案は装設が便利な上に美観の向上効果を有する。
【００１６】
従って、本明細書に開示された実施形態は、本考案を限定するものではなく、説明するためのものであり、このような実施形態によって本考案の思想と範囲が限定されるものではない。本考案の範囲は実用新案登録請求の範囲により解釈すべきであり、それと同等の範囲内にある全ての技術は、本考案の権利範囲に含まれるものと解釈すべきである。
【符号の説明】
【００１７】
１０、１０ａ  電源変換器
１１  ネジ式口金
１２、１２ａ  ベース
１３  電源変換回路
１４  電源接続端
１５  位置決めフレーム結合部
１６  固定式電源コード
２０、２０ａ  位置決めフレーム
２１  ベース接続部
３０  電力供給対象装置
３１  電源コード
【図１】
0003200810.tif 000003
【図２】
0003200810.tif 000004
【図３】
0003200810.tif 000005